【手続補正書】
【提出日】平成30年8月29日(2018.8.29)
【手続補正１】
【補正対象書類名】特許請求の範囲
【補正対象項目名】全文
【補正方法】変更
【補正の内容】
【特許請求の範囲】
【請求項１】
給送されるシートの給送方向と直交するシート幅方向のサイズを検知するサイズ検知手段と、
載置部に載置されたシートを給送する給送回転体と、前記給送回転体により給送されたシートを搬送する搬送部とを有する搬送機構と、
前記搬送部により搬送されたシートを検知する検知手段と、
前記サイズ検知手段の検知結果に基づいて前記搬送機構を制御する制御部であって、前記給送回転体によって給送されるシートの、前記シート幅方向におけるサイズが第１のサイズのときは、前記検知手段の検知に基づいて前記搬送機構を制御する第１の制御を実行し、前記給送回転体によって給送されるシートの、前記シート幅方向におけるシートのサイズが第２のサイズのときは、前記検知手段の検知に基づかずに前記搬送機構を制御する第２の制御を実行する制御部と、
を有し、
前記検知手段は、前記給送回転体により給送されるシートが前記第１のサイズのときは前記検知手段の検知領域を通過し、前記第２のサイズのときは前記検知領域を通過しないように配置されている
ことを特徴とするシート給送装置。
【請求項２】
給送されるシートの給送方向と直交するシート幅方向のサイズを検知するサイズ検知手段と、
載置部に載置されたシートを給送する給送回転体と、
前記給送回転体を前記載置部に載置されたシートに当接する給送位置と、前記シートから離間する退避位置とに移動可能な移動部と、
前記給送回転体により搬送されたシートを搬送する搬送部と、
前記搬送部に到達したシートの先端を検知する先端検知手段と、
前記サイズ検知手段の検知結果に基づいて前記移動部を制御する制御部であって、前記給送回転体により給送されるシートの前記シート幅方向におけるサイズが第１のサイズのときは、前記先端検知手段の検知結果に基づいて前記移動部によって前記給送回転体を前記給送位置から前記退避位置に移動させ、前記給送回転体により給送されるシートの前記シート幅方向におけるサイズが第２のサイズのときは、前記給送回転体によるシートの給送開始から所定時間経過後に前記移動部により前記給送回転体を前記退避位置に移動させる制御部と、
を有し、
前記先端検知手段は、前記給送回転体により給送されるシートが前記第１のサイズのときは前記先端検知手段の検知領域を通過し、前記第２のサイズのときは前記検知領域を通過しないように配置されている
ことを特徴とするシート給送装置。
【請求項３】
前記搬送部は、シートを第１部材と第２部材でニップして搬送し、
前記先端検知手段は、前記第１部材と第２部材のニップ領域における前記シート幅方向の延長線上に位置する検知領域を通過するシートの先端を検知する
ことを特徴とする請求項２記載のシート給送装置。
【請求項４】
前記シート幅方向のサイズが異なる複数のシートが給送される混載モードを有し、
前記制御部は、前記混載モードの場合、前記サイズ検知手段による検知結果にかかわらず前記給送回転体によるシートの給送開始から所定時間経過後に前記移動部により前記給送回転体を前記退避位置に移動させる
ことを特徴とする請求項２記載のシート給送装置。
【請求項５】
前記シート幅方向のサイズが異なる複数のシートが給送される混載モードを有し、
前記制御部は、前記混載モードにおいて、前記給送回転体によるシートの給送開始から所定時間経過後に前記移動部により前記給送回転体を前記退避位置に移動させ、前記所定時間の経過前に前記先端検知手段が給送されるシートの先端を検知した場合は、前記先端検知手段による検知に基づいて前記移動部により前記給送回転体を前記退避位置に移動させる
ことを特徴とする請求項２記載のシート給送装置。
【請求項６】
前記所定時間は、前記給送回転体による前記シートの給送動作の開始から給送されたシートの先端が前記搬送部に到達するまでの時間である
ことを特徴とする請求項２乃至請求項５のいずれか１項に記載のシート給送装置。
【請求項７】
前記第１部材は、前記給送回転体によって給送されるシートをシート給送方向の下流へ搬送する方向に回転する分離ローラであり、
前記第２部材は、前記シートをシート給送方向の上流に戻す方向に回転するリタードローラである
ことを特徴とする請求項３乃至請求項６のいずれか１項に記載のシート給送装置。
【請求項８】
前記第１部材は、前記給送回転体によって給送されるシートをシート給送方向の下流へ搬送する方向に回転する分離ローラであり、
前記第２部材は、前記シートを前記分離ローラに押圧する分離部材である。
ことを特徴とする請求項３乃至請求項６のいずれか１項に記載のシート給送装置。
【請求項９】
前記第１部材及び前記第２部材は、前記給送回転体によって給送されるシートをシート給送方向の下流へ搬送する方向に回転する搬送ローラ対である
ことを特徴とする請求項３乃至請求項６のいずれか１項に記載のシート給送装置。
【請求項１０】
前記ニップ領域は、前記第１部材と前記第２部材とが接触している領域である
ことを特徴とする請求項３乃至請求項９のいずれか１項に記載のシート給送装置。
【請求項１１】
前記サイズ検知手段は、前記載置部に載置されたシートのサイズを検知する
ことを特徴とする請求項２乃至請求項１０のいずれか１項に記載のシート給送装置。
【請求項１２】
給送されるシートの給送方向と直交するシート幅方向のサイズを検知するサイズ検知手段と、
載置部に載置されたシートを給送する給送回転体と、
前記給送回転体により給送されたシートを搬送する搬送部と、
前記搬送部に到達したシートの先端を検知する先端検知手段と、
前記サイズ検知手段の検知結果に基づいて前記給送回転体及び前記搬送部の動作を制御する制御部であって、前記給送回転体により給送されるシートが前記先端検知手段の検知領域を通過するサイズの場合は前記先端検知手段による検知に基づいて第１の駆動制御を行い、給送されるシートが前記検知領域を通過しないサイズの場合は前記先端検知手段による検知に基づかない第２の駆動制御を行う制御部と、
を有することを特徴とするシート給送装置。
【請求項１３】
前記搬送部は、シートを第１部材と第２部材でニップして搬送し、
前記先端検知手段は、前記第１部材と第２部材のニップ領域における前記シート幅方向の延長線上に位置する検知領域を通過するシートの先端を検知する
ことを特徴とする請求項１２記載のシート給送装置。
【請求項１４】
前記第１の駆動制御は、シート給送開始後の所定時間内に前記先端検知手段がシートを検知しない場合はシートを第１の速度で搬送し、前記所定時間内に前記先端検知手段がシートを検知した場合にはシートが所定位置に到達するまで前記第１の速度よりも遅い第２の速度で搬送する
ことを特徴とする請求項１２又は請求項１３に記載のシート給送装置。
【請求項１５】
前記第１の駆動制御は、シート給送開始後の所定時間内に前記先端検知手段がシートを検知しない場合はシートを第１の速度で搬送し、前記所定時間内に前記先端検知手段がシートを検知した場合にはシート搬送を所定時間停止し、その後に前記第１の速度で搬送する
ことを特徴とする請求項１２又は請求項１３に記載のシート給送装置。
【請求項１６】
前記第２の駆動制御は、シートを前記第１の速度よりも遅く、前記第２の速度よりも速い第３の速度で搬送する
ことを特徴とする請求項１４に記載のシート給送装置。
【請求項１７】
前記第１の駆動制御及び前記第２の駆動制御は、前記搬送されるシートの先端が所定位置に到達するまでに先行するシートの後端との距離を所定範囲にする制御である
ことを特徴とする請求項１２乃至請求項１６のいずれか１項に記載のシート給送装置。
【請求項１８】
前記第１部材又は前記第２部材の少なくとも一方は、片持ち支持された支持軸に対して着脱可能に取り付けられたローラ部材であり、
前記先端検知手段は、前記ローラ部材の取り外し方向に前記支持軸の端部から前記ローラ部材の長さ以上離間した位置に配置されている
ことを特徴とする請求項１３に記載のシート給送装置。
【請求項１９】
シートを給送して前記シートに記載された情報を読み取る読取装置において、
請求項１乃至請求項１８のいずれか１項に記載のシート給送装置と、
給送されたシートに記載された情報を読み取る読取部と、
を有することを特徴とする読取装置。
【請求項２０】
シートを給送して前記シートに画像を形成する画像形成装置において、
請求項１乃至請求項１８のいずれか１項に記載のシート給送装置と、
給送されたシートに画像を形成する画像形成部と、
を有することを特徴とする画像形成装置。
【手続補正２】
【補正対象書類名】明細書
【補正対象項目名】０００８
【補正方法】変更
【補正の内容】
【０００８】
上記目的を達成するための本発明に係る代表的なシート給送装置の構成は、給送されるシートの給送方向と直交するシート幅方向のサイズを検知するサイズ検知手段と、載置部に載置されたシートを給送する給送回転体と、前記給送回転体により給送されたシートを搬送する搬送部とを有する搬送機構と、前記搬送部により搬送されたシートを検知する検知手段と、前記サイズ検知手段の検知結果に基づいて前記搬送機構を制御する制御部であって、前記給送回転体によって給送されるシートの、前記シート幅方向におけるサイズが第１のサイズのときは、前記検知手段の検知に基づいて前記搬送機構を制御する第１の制御を実行し、前記給送回転体によって給送されるシートの、前記シート幅方向におけるシートのサイズが第２のサイズのときは、前記検知手段の検知に基づかずに前記搬送機構を制御する第２の制御を実行する制御部と、を有し、前記検知手段は、前記給送回転体により給送されるシートが前記第１のサイズのときは前記検知手段の検知領域を通過し、前記第２のサイズのときは前記検知領域を通過しないように配置されていることを特徴とする。